(57)【要約】【課題】筐体の強度が不足せず、しかも、筐体の組み立て効率を向上させることができる室外ユニットを提供する。【解決手段】圧縮機７、室外熱交換器１５及び室外送風機１７等を、背側が開放された筐体内に収納し、この背側に室外熱交換器１５を配置し、この室外熱交換器１５の上面に補強板３１を配置し、この補強板３１に筐体を構成するセパレートされた一対の側板２１と、天板２３とを固定した。【選択図】      図１
2004205107.tif 000002
【特許請求の範囲】
【請求項１】
圧縮機、室外熱交換器及び室外送風機等を、背側が開放された筐体内に収納し、この開放された背側に室外熱交換器を配置し、この室外熱交換器の上面に補強板を配置し、この補強板に筐体を構成するセパレートされた一対の側板と、天板とを固定したことを特徴とする室外ユニット。
【請求項２】
前記筐体を構成する天板と前板とが略Ｌ字状に一体形成されていることを特徴とする請求項１記載の室外ユニット。
【請求項３】
前記補強板の上面に、上方に立ち上がる立ち上がり部を形成し、この立ち上がり部に、側板を仮り止めする係止部を設けたことを特徴とする請求項１又は２記載の室外ユニット。
【請求項４】
前記補強板の立ち上がり部に、天板の支持部を設けたことを特徴とする請求項３記載の室外ユニット。
【請求項５】
前記補強板に、室外送風機を支持する支持プレートの上部を固定し、この支持プレートの下部を筐体の底板に固定したことを特徴とする請求項１乃至４のいずれか一項記載の室外ユニット。
【発明の詳細な説明】
【０００１】
【発明の属する技術分野】
本発明は、空気調和装置を構成する室外ユニットに関する。
【０００２】
【従来の技術】
一般に、圧縮機、室外熱交換器及び室外送風機等を、筐体内に収納した室外ユニットが知られている（例えば、特許文献１参照）。この種のものでは、各種機器類をすっぽりと覆う筐体を、底板と鋼板製のカバーとで構成し、これらカバーと底板とを組み立ててなるものが提案されている。
【０００３】
【特許文献１】
特開平９−３２４９３１号公報
【０００４】
【発明が解決しようとする課題】
しかし、従来の構成では、圧縮機、室外熱交換器及び室外送風機等を、箱形の筐体内にすっぽり覆っているため、熱交換用の空気を筐体内に取り入れるための開口を当該筐体に設けなければならない。これによれば、開口を通る際に空気抵抗が発生し、熱交換効率が低下するという問題がある。これを解消すべく、筐体の背側を開放し、この開放した背側に室外熱交換器を配置して、空気取り込み量を増大させたものが提案されている。
【０００５】
しかし、筐体の背側を開放した場合、どうしても筐体の強度が不足しがちになり、しかも、一対の側板をセパレート型とした場合には、この側板と、筐体を構成する天板、或いは前板と連結する作業が困難になり、筐体の組み立て効率が悪くなるという問題がある。
【０００６】
そこで、本発明の目的は、上述した従来の技術が有する課題を解消し、筐体の強度が不足せず、しかも、筐体の組み立て効率を向上させることができる室外ユニットを提供することにある。
【０００７】
【課題を解決するための手段】
請求項１記載の発明は、圧縮機、室外熱交換器及び室外送風機等を、背側が開放された筐体内に収納し、この開放された背側に室外熱交換器を配置し、この室外熱交換器の上面に補強板を配置し、この補強板に筐体を構成するセパレートされた一対の側板と、天板とを固定したことを特徴とする。
【０００８】
請求項２記載の発明は、請求項１記載のものにおいて、前記筐体を構成する天板と前板とが略Ｌ字状に一体形成されていることを特徴とする。
【０００９】
請求項３記載の発明は、請求項１又は２記載のものにおいて、前記補強板の上面に、上方に立ち上がる立ち上がり部を形成し、この立ち上がり部に、側板を仮り止めする係止部を設けたことを特徴とする。
【００１０】
請求項４記載の発明は、請求項３記載のものにおいて、前記補強板の立ち上がり部に、天板の支持部を設けたことを特徴とする。
【００１１】
請求項５記載の発明は、請求項１乃至４のいずれか一項記載のものにおいて、前記補強板に、室外送風機を支持する支持プレートの上部を固定し、この支持プレートの下部を筐体の底板に固定したことを特徴とする。
【００１２】
【発明の実施の形態】
以下、本発明の一実施形態について図面を参照して説明する。
【００１３】
図１及び図２において、１は室外ユニットを示す。この室外ユニット１は、図示を省略した室内ユニットに対し冷媒配管で接続され、これにより、分離型空気調和装置が構成されている。この室外ユニット１は、鋼板製の底板３の上に、同じく鋼板製の仕切り板５が立設されて、この仕切り板５の両側に、熱交換室Ａ及び機械室Ｂを備えて構成されている。
【００１４】
機械室Ｂには、冷凍サイクルの一部を構成する圧縮機７、アキュームレータ９、冷媒配管１１、さらには電装箱１３等が配置され、熱交換室Ａには、室外熱交換器１５、室外送風機１７等が配置されている。
【００１５】
熱交換室Ａ及び機械室Ｂは、両サイドが一対の鋼板製の側板２１で覆われ、底部が底板３で覆われ、上部が鋼板製の天板２３で覆われ、前部が同じく鋼板製の前板２５で覆われている。この前板２５と天板２３とは一体に成形されて、略Ｌ字状に形成されている。そして、熱交換室Ａ及び機械室Ｂの背側は開放され、この開放された背側には室外熱交換器１５が配置されている。これらが熱交換室Ａ及び機械室Ｂを囲う筐体を構成する。
【００１６】
上記構成では、室外熱交換器１５の上面に補強板３１が配置されている。この補強板３１は、熱交換室Ａ及び機械室Ｂのほぼ全幅に亘って設けられ、図３に示すように、室外熱交換器１５を挟み込む爪部３１Ａを備え、この爪部３１Ａ間（図５参照）に室外熱交換器１５の上部を挟み込んで取り付けられる。この補強板３１には、一対の側板２１と、天板２３と、室外送風機１７のモータ１７Ａを支持する支持プレート３３とが取り付けられている。
【００１７】
この支持プレート３３の上部３３Ａは、補強板３１側に折り曲げられ、そこには小さい開口３３Ｂが形成されている。そして、図４に示すように、この開口３３Ｂには、補強板３１に設けられた突起３１Ｂが嵌合し、これを嵌合した後、支持プレート３３の上部３３Ａと、補強板３１とが、ビス３７を介して結合される。また、図３に示すように、この支持プレート３３の下部３３Ｃは、上部３３Ａと反対側に折り曲げられ、この下部３３Ｃは、図示を省略したビスを介して、鋼板製の底板３に固定されている。
【００１８】
図５は、側板２１と補強板３１との結合手順を示す。この補強板３１の上面であって、当該補強板３１の背側の位置には、折り曲げにより上方に立ち上がる立ち上がり部３５が一体形成され、この立ち上がり部３５には、組み立て時に、天板２３を支持するための支持部３５Ａが一体形成されている。また、立ち上がり部３５の両端には、側板２１の錠状の折れ片２１Ａを引っ掛けて、当該側板２１を仮り止め可能にした係止部３５Ｂが形成されている。
【００１９】
つぎに、筐体の組み立て手順を説明する。
【００２０】
まず、底板３の上に、室外熱交換器１５を含む各種機器類を固定した後、この室外熱交換器１５の上部に、補強板３１をはめ込む。そして、この補強板３１に支持プレート３３を固定し、この支持プレート３３に室外送風機１７を取り付ける。ついで、補強板３１の係止部３５Ｂに、図６に示すように、セパレートされた一対の側板２１の折れ片２１Ａをそれぞれ引っ掛け、側板２１が倒れないように、一対の側板２１と補強板３１とを仮り止めする。
【００２１】
この仮り止めの状態で、図１を参照して、一体成形された前板２５と天板２３とを、一対の側板２１、及び補強板３１の支持部３５Ａの上に載せ、各板の姿勢を筐体形状に整えながら、必要箇所をビス止めする。補強板３１と側板２１とは、図４に示すように、ビス３７で本止めする。
【００２２】
この構成では、補強板３１を備えたことにより、セパレートされた側板２１の仮り止め、及び本止めがきわめて容易になる。また、補強板３１を備えたことにより、筐体の剛性を高めることができる。この構成では、室外ユニット１の横方向のサイズが変化した場合であっても、室外熱交換器１５、これに対応した補強板３１、底板３、前板２５、天板２３等の長さを変化させるだけでよく、一対の側板２１は、共通化することができる。
【００２３】
この構成では、室外熱交換器１５に対し、機器類等を直接取り付けることがなく、それらをすべて補強板３１に取り付けているため、室外熱交換器１５の薄いフィン等に損傷を与えることが少ない。
【００２４】
さらに、この筐体は、背側が開放されており、この開放された背側に、室外熱交換器１５が配置されるため、空気取り込み量が増大し、室外熱交換器１５の熱交換効率を向上させることができる。
【００２５】
以上、一実施形態に基づいて本発明を説明したが、本発明は、これに限定されるものではなく、種々変更が可能である。
【００２６】
【発明の効果】
本発明では、筐体の強度が不足せず、しかも、筐体の組み立て効率を向上させることができる。
【図面の簡単な説明】
【図１】本発明に係る室外ユニットの一実施形態を示す分解斜視図である。
【図２】室外ユニットの正面図である。
【図３】側板、補強板、支持プレートの分解斜視図である。
【図４】補強板と支持プレートの結合状態を示す図である。
【図５】側板と補強板の結合状態を示す図である。
【図６】同じく側板と補強板の結合状態を示す図である。
【符号の説明】
１  室外ユニット
３  底板
５  仕切り板
７  圧縮機
９  アキュームレータ
１５  室外熱交換器
１７  室外送風機
２１  側板
２３  天板
２５  前板
３１  補強板
３３  支持プレート
３５  立ち上がり部
３５Ａ  支持部
３５Ｂ  係止部
【図１】
2004205107.tif 000003
【図２】
2004205107.tif 000004
【図３】
2004205107.tif 000005
【図４】
2004205107.tif 000006
【図５】
2004205107.tif 000007
【図６】
2004205107.tif 000008